(57)【要約】【課題】フィルタエレメントに設置したＩＣタグとフィルタケースに設置したリーダライタとの間の通信において正確に情報伝達できる液体フィルタ装置等を提供する。【解決手段】フィルタケース蓋部１１０は、内側に突出するリーダライタモジュール１１３の下方端部にアンテナ１１４を備え、前記中央に位置する第１管部に係止突起を備える。フィルタエレメント１３０は、上部プレート１３３にＩＣタグ１３６を備え、上部プレート１３３の中央に位置する第２管部に最下点に向かって傾斜する傾斜面を設けた。フィルタケース本体１２０をフィルタケース蓋部１１０に対して押しつける際に、フィルタケース本体１２０の下部支持部１２１によりフィルタエレメント１３０が押されて回転し、フィルタケース蓋部１１０の係止突起がフィルタエレメント１３０の第２管部の傾斜面の最下点で固定する。【選択図】図２
2015013254.tif 000002
【特許請求の範囲】
【請求項１】
液体の流入路と、前記液体の流出路と、下方に開口した下方開口部と、を備えるフィルタケース蓋部と、
略円筒状の濾材部と、前記濾材部の上側に備えた中空円盤状の上部プレートと、前記濾材部の下側に備えた円盤状の下部プレートと、を備えるフィルタエレメントと、
内部に前記フィルタエレメントを保持したときに、前記下部プレートを支持する下部支持部と、上方に開口した上方開口部と、を備えるフィルタケース本体と、からなる液体フィルタ装置であって、
前記フィルタケース蓋部の内側には、位置決めのための係止突起と、前記下方開口部側に突出して設置されるリーダライタモジュールが備えられ、前記リーダライタモジュールの下方端部にアンテナが備えられ、
前記フィルタエレメントの前記上部プレートには、前記フィルタケース蓋部の前記係止突起を単一の特定位置に回転しながらガイドするガイド部と、ＩＣタグが備えられ、
前記フィルタケース本体の上方開口部を前記フィルタケース蓋部の下方開口部に向け押しつけたときに、前記フィルタケース本体内部に保持した前記フィルタエレメントが前記フィルタケース本体の前記下部支持部に押されて前記フィルタケース蓋部に押しつけられることにより、前記フィルタエレメントの前記ガイド部が前記フィルタケース蓋部の前記係止突起に対して回転し、前記係止突起が前記特定位置に来たところで固定され、
前記係止突起が前記特定位置に固定されているときに、前記アンテナと前記ＩＣタグが近接している、
ことを特徴とする液体フィルタ装置。
【請求項２】
液体の流入路と、前記液体の流出路と、を備えるフィルタケース蓋部と、
略円筒状の濾材部と、前記濾材部の上側に備えた中空円盤状の上部プレートと、前記濾材部の下側に備えた円盤状の下部プレートと、を備えるフィルタエレメントと、
内部に前記フィルタエレメントを保持したときに、前記下部プレートの中央を支持するバネ部と、上方に開口した上方開口部と、前記フィルタエレメントを内部保持して外部に出ないように前記上部プレートを抑止する抑止部と、を備え、前記フィルタエレメントを内部に保持したフィルタカートリッジを形成するフィルタケース本体と、からなる液体フィルタ装置であって、
前記フィルタケース蓋部の下方には、位置決めのための係止突起と、下方に突出して設置されるリーダライタモジュールが備えられ、前記リーダライタモジュールの下方の端部にアンテナが備えられ、
前記フィルタエレメントの前記上部プレートには、前記フィルタケース蓋部の前記係止突起を単一の特定位置に回転しながらガイドするガイド部と、ＩＣタグが備えられ、
前記フィルタケース本体の前記上方開口部を前記フィルタケース蓋部に向け押しつけたときに、前記フィルタケース本体内部に保持した前記フィルタエレメントが前記フィルタケース本体の前記バネ部に押されて前記フィルタケース蓋部に押しつけられることにより、前記フィルタエレメントの前記ガイド部が前記フィルタケース蓋部の前記係止突起に対して回転し、前記係止突起が前記特定位置に来たところで固定され、
前記係止突起が前記特定位置に固定されているときに、前記アンテナと前記ＩＣタグが近接している、
ことを特徴とする液体フィルタ装置。
【請求項３】
前記フィルタケース蓋部の前記流入路又は前記流出路のいずれか一方は、前記フィルタエレメントを内部に保持した前記フィルタケース本体と前記フィルタケース蓋部を結合した時に、前記フィルタエレメントの前記上部プレートの中空円盤状の中空部に挿入する第１管部を備え、
前記係止突起は、前記第１管部の外側に突出するように設けられており、
前記フィルタエレメントの前記上部プレートは、前記中空円盤状の内周に接続された第２管部を備え、
前記ガイド部は、前記第２管部の内側に設けられた、前記特定位置に向かって傾斜する傾斜面からなり、
前記係止突起が前記特定位置に向かって前記傾斜面を滑りながら移動し、前記係止突起が前記特定位置に来たところで固定される、
ことを特徴とする請求項１又は２に記載の液体フィルタ装置。
【請求項４】
前記係止突起の下端が下方に尖った形状を有し、前記傾斜面の前記特定位置と逆側が上方に尖った形状を有する、
ことを特徴とする請求項３に記載の液体フィルタ装置。
【請求項５】
液体の流入路と、前記液体の流出路と、下方に開口した下方開口部と、を備えるフィルタケース蓋部と、
略円筒状の濾材部と、前記濾材部の上側に備えた中空円盤状の上部プレートと、前記濾材部の下側に備えた円盤状の下部プレートと、を備えるフィルタエレメントと、
内部に前記フィルタエレメントを保持したときに、前記下部プレートを支持する下部支持部と、上方に開口した上方開口部と、を備えるフィルタケース本体と、からなる液体フィルタ装置であって、
前記フィルタエレメントの前記上部プレートには、前記中空円盤状の内周に設けられた位置決めのための係止突起と、ＩＣタグが備えられ、
前記フィルタケース蓋部の内側には、前記フィルタエレメントの前記係止突起を単一の特定位置に回転しながらガイドするガイド部と、前記下方開口部側に突出して設置されるリーダライタモジュールが備えられ、前記リーダライタモジュールの下方端部にアンテナが備えられ、
前記フィルタケース本体の前記上方開口部を前記フィルタケース蓋部の前記下方開口部に向け押しつけたときに、前記フィルタケース本体内部に保持した前記フィルタエレメントが前記フィルタケース本体の前記下部支持部に押されて前記フィルタケース蓋部に押しつけられることにより、前記フィルタエレメントの前記係止突起が前記フィルタケース蓋部の前記ガイド部に対して回転し、前記係止突起が前記特定位置に来たところで固定され、
前記係止突起が前記特定位置に固定されているときに、前記アンテナと前記ＩＣタグが近接している、
ことを特徴とする液体フィルタ装置。
【請求項６】
液体の流入路と、前記液体の流出路と、を備えるフィルタケース蓋部と、
略円筒状の濾材部と、前記濾材部の上側に備えた中空円盤状の上部プレートと、前記濾材部の下側に備えた円盤状の下部プレートと、を備えるフィルタエレメントと、
内部に前記フィルタエレメントを保持したときに、前記下部プレートの中央を支持するバネ部と、上方に開口した上方開口部と、前記フィルタエレメントを内部保持して外部に出ないように前記上部プレートを抑止する抑止部と、を備え、前記フィルタエレメントを内部に保持したフィルタカートリッジを形成するフィルタケース本体と、からなる液体フィルタ装置であって、
前記フィルタエレメントの前記上部プレートには、前記中空円盤状の内周に設けられた位置決めのための係止突起と、ＩＣタグが備えられ、
前記フィルタケース蓋部の下方には、前記フィルタエレメントの前記係止突起を単一の特定位置に回転しながらガイドするガイド部と、前記下方に突出して設置されるリーダライタモジュールが備えられ、前記リーダライタモジュールの下方端部にアンテナが備えられ、
前記フィルタケース本体の前記上方開口部を前記フィルタケース蓋部に向け押しつけたときに、前記フィルタケース本体内部に保持した前記フィルタエレメントが前記フィルタケース本体の前記バネ部に押されて前記フィルタケース蓋部に押しつけられることにより、前記フィルタエレメントの前記係止突起が前記フィルタケース蓋部の前記ガイド部に対して回転し、前記係止突起が前記特定位置に来たところで固定され、
前記係止突起が前記特定位置に固定されているときに、前記アンテナと前記ＩＣタグが近接している、
ことを特徴とする液体フィルタ装置。
【請求項７】
前記フィルタケース蓋部の前記流入路又は前記流出路のいずれか一方は、前記フィルタエレメントを内部に保持した前記フィルタケース本体と前記フィルタケース蓋部を結合した時に、前記フィルタエレメントの前記上部プレートの中空円盤状の中空部に挿入する第１管部を備え、
前記ガイド部は、前記第１管部の外側に設けられた、前記特定位置に向かって傾斜する傾斜面からなり、
前記フィルタエレメントの前記上部プレートは、前記中空円盤状の内周と連続する第２管部を備え、
前記係止突起は、前記第２管部の内側に突出するように設けられており、
前記係止突起が前記特定位置に向かって滑りながら移動し、前記係止突起が前記特定位置に来たところで固定される、
ことを特徴とする請求項５又は６に記載の液体フィルタ装置。
【請求項８】
前記係止突起の上端が上方に尖った形状を有し、前記傾斜面の前記特定位置と逆側が下方に尖った形状を有する、
ことを特徴とする請求項７に記載の液体フィルタ装置。
【請求項９】
前記フィルタエレメントは、前記下部プレートの底面に下方に突出するように設けられた突起部を更に備え、前記突起部を前記フィルタケース本体の前記下部支持部に当接させていることを特徴とする請求項１又は５に記載の液体フィルタ装置。
【請求項１０】
前記フィルタエレメントの前記上部プレートは樹脂から構成されており、前記ＩＣタグは、樹脂内に埋め込まれている、
ことを特徴とする請求項１乃至９のいずれか１項に記載の液体フィルタ装置。
【請求項１１】
液体の流入路と、前記液体の流出路と、下方に開口した下方開口部と、を備えるフィルタケース蓋部と、上方に開口した上方開口部を備えるフィルタケース本体と、を有する液体フィルタ装置に備えられるフィルタエレメントであって、
略円筒状の濾材部と、前記濾材部の上側に備えた中空円盤状の上部プレートと、前記濾材部の下側に備えた円盤状の下部プレートと、を備え、
前記フィルタケース蓋部の内側には、位置決めのための係止突起と、前記下方開口部側に突出して設置されるリーダライタモジュールが備えられ、前記リーダライタモジュールの下方端部にアンテナが備えられ、
前記上部プレートには、前記フィルタケース蓋部の前記係止突起を単一の特定位置に回転しながらガイドするガイド部と、ＩＣタグが備えられ、
前記フィルタケース本体の上方開口部を前記フィルタケース蓋部の下方開口部に向け押しつけたときに、前記フィルタケース本体内部に保持した当該フィルタエレメントが前記フィルタケース本体の底部に備えられた下部支持部に押されて前記フィルタケース蓋部に押しつけられることにより、当該フィルタエレメントの前記ガイド部が前記フィルタケース蓋部の前記係止突起に対して回転し、前記係止突起が前記特定位置に来たところで固定され、
前記係止突起が前記特定位置に固定されているときに、前記アンテナと前記ＩＣタグが近接している、
ことを特徴とするフィルタエレメント。
【請求項１２】
液体の流入路と、前記液体の流出路と、を備えるフィルタケース蓋部に結合されて、液体フィルタ装置を構成するフィルタカートリッジであって、
略円筒状の濾材部と、前記濾材部の上側に備えられた中空円盤状の上部プレートと、前記濾材部の下側に備えられた円盤状の下部プレートと、を有するフィルタエレメントと、
内部に前記フィルタエレメントを保持したときに、前記下部プレートの中央を支持するバネ部と、上方に開口した上方開口部と、前記フィルタエレメントを内部保持して外部に出ないように前記上部プレートを抑止する抑止部と、を有するフィルタケース本体と、を備え、
前記フィルタケース蓋部の下方には、位置決めのための係止突起と、前記下方に突出して設置されるリーダライタモジュールが備えられ、前記リーダライタモジュールの下方の端部にアンテナが備えられ、
前記フィルタエレメントの前記上部プレートには、前記フィルタケース蓋部の前記係止突起を単一の特定位置に回転しながらガイドするガイド部と、ＩＣタグが備えられ、
前記フィルタケース本体の前記上方開口部を前記フィルタケース蓋部に向け押しつけたときに、前記フィルタケース本体内部に保持した前記フィルタエレメントが前記フィルタケース本体の前記バネ部に押されて前記フィルタケース蓋部に押しつけられることにより、前記フィルタエレメントの前記ガイド部が前記フィルタケース蓋部の前記係止突起に対して回転し、前記係止突起が前記特定位置に来たところで固定され、
前記係止突起が前記特定位置に固定されているときに、前記アンテナと前記ＩＣタグが近接している、
ことを特徴とするフィルタカートリッジ。
【請求項１３】
液体の流入路と、前記液体の流出路と、下方に開口した下方開口部と、を備えるフィルタケース蓋部と、上方に開口した上方開口部を備えるフィルタケース本体と、を有する液体フィルタ装置に備えられるフィルタエレメントであって、
略円筒状の濾材部と、前記濾材部の上側に備えた中空円盤状の上部プレートと、前記濾材部の下側に備えた円盤状の下部プレートと、を備え、
前記上部プレートには、前記中空円盤状の内周に設けられた位置決めのための係止突起と、ＩＣタグが備えられ、
前記フィルタケース蓋部の内側には、当該フィルタエレメントの前記係止突起を単一の特定位置に回転しながらガイドするガイド部と、前記下方開口部側に突出して設置されるリーダライタモジュールが備えられ、前記リーダライタモジュールの下方端部にアンテナが備えられ、
前記フィルタケース本体の前記上方開口部を前記フィルタケース蓋部の前記下方開口部押しつけたときに、前記フィルタケース本体内部に保持した当該フィルタエレメントが前記フィルタケース本体の底部に備えられた前記下部支持部に押されて前記フィルタケース蓋部に押しつけられることにより、当該フィルタエレメントの前記係止突起が前記フィルタケース蓋部の前記ガイド部に対して回転し、前記係止突起が前記特定位置に来たところで固定され、
前記係止突起が前記特定位置に固定されているときに、前記アンテナと前記ＩＣタグが近接している、
ことを特徴とするフィルタエレメント。
【請求項１４】
液体の流入路と、前記液体の流出路と、を備えるフィルタケース蓋部に結合されて、液体フィルタ装置を構成するフィルタカートリッジであって、
略円筒状の濾材部と、前記濾材部の上側に備えられた中空円盤状の上部プレートと、前記濾材部の下側に備えられた円盤状の下部プレートと、を備えるフィルタエレメントと、
内部に前記フィルタエレメントを保持したときに、前記下部プレートの中央を支持するバネ部と、上方に開口した上方開口部と、前記フィルタエレメントを内部保持して外部に出ないように前記上部プレートを抑止する抑止部と、を有するフィルタケース本体と、を備え、
前記フィルタエレメントの前記上部プレートには、前記中空円盤状の内周に設けられた位置決めのための係止突起と、ＩＣタグが備えられ、
前記フィルタケース蓋部の下方には、前記フィルタエレメントの前記係止突起を単一の特定位置に回転しながらガイドするガイド部と、前記下方に突出して設置されるリーダライタモジュールが備えられ、前記リーダライタモジュールの下方端部にアンテナが備えられ、
前記フィルタケース本体の前記上方開口部を前記フィルタケース蓋部に向け押しつけたときに、前記フィルタケース本体内部に保持した前記フィルタエレメントが前記フィルタケース本体の前記バネ部に押されて前記フィルタケース蓋部に押しつけられることにより、前記フィルタエレメントの前記係止突起が前記フィルタケース蓋部の前記ガイド部に対して回転し、前記係止突起が前記特定位置に来たところで固定され、
前記係止突起が前記特定位置に固定されているときに、前記アンテナと前記ＩＣタグが近接している、
ことを特徴とするフィルタカートリッジ。
【発明の詳細な説明】
【技術分野】
【０００１】
本発明は、液体の流入路及び流出路が設けられたフィルタケース内にフィルタエレメントを保持する液体フィルタ装置、フィルタエレメント、及びフィルタエレメントを内部に保持したフィルタカートリッジに関する。
【背景技術】
【０００２】
従来、車両や油圧式の建設機械には、燃料や作動油等の各種液体中の異物を捕集する液体フィルタ装置が備えられている。これらの液体フィルタ装置は、使用時間に伴って内部のフィルタエレメント又はフィルタカートリッジ等の補用品を交換する必要がある。フィルタエレメント又はフィルタカートリッジは液体フィルタ装置に合わせて最適な構造を有しているため、交換用の補用品は、液体フィルタ装置のメーカーがその性能を補償した純正品であることが好ましい。
【０００３】
しかし、これらの補用品として模倣品が使用されることが多く、その場合には液体フィルタ装置が十分な性能を発揮できず、機器類の故障に繋がることが問題となっていた。そこで、液体フィルタ装置等において模倣品の使用を排除するために、純正品の補用品に受動タイプのＩＣ（Integrated Circuit）タグを備え付け、フィルタケースに備えたリーダライタと通信することにより純正品であるか否かの判別を行っていた（例えば特許文献１、２）。
【０００４】
また、補用品に備えるＩＣタグとフィルタケースに備えたリーダライタとの通信により補用品の使用履歴を取得でき、それに基づいて適切な交換時期を知らせることのできる液体フィルタ装置等もあった（例えば特許文献３）。
【先行技術文献】
【特許文献】
【０００５】
【特許文献１】特許第４３９９５２４号公報
【特許文献２】特表２００７−５３７８７０号公報
【特許文献３】特開２０１２−２４１６５７号公報
【発明の概要】
【発明が解決しようとする課題】
【０００６】
液体フィルタ装置の場合、使用時には液体フィルタ装置内部に液体が充填されており、ＩＣタグとリーダライタ用アンテナの間の距離が離れている場合には、正常に通信することができず、正しく純正品を判別できず使用履歴を取得するのが困難となるという問題があった。
【０００７】
この問題に対し、特許文献２に記載の液体フィルタ装置等は、キー構造によりフィルタヘッドとフィルタカートリッジとの位置関係を固定した状態で、フィルタヘッドとボール（フィルタケース）を結合する構成となっていた。
【０００８】
近年の液体フィルタ装置は、組立時又は補用品交換時の利便性から、フィルタエレメントをフィルタケース本体内で回転可能な状態で保持した状態で、フィルタケース蓋部に対してフィルタケース本体を結合する構成が採用されることが多い。
【０００９】
この場合、フィルタケース蓋部とフィルタケース本体の結合時にフィルタエレメントが回転してしまい、ＩＣタグとリーダライタ用アンテナとの位置関係を高い精度で決定し固定させることが困難であった。
【００１０】
本発明は、上記事情に鑑みてなされたものであり、フィルタエレメントに設置したＩＣタグとフィルタケースに設置したリーダライタとの間の通信において正確に情報伝達できる液体フィルタ装置等を提供することを目的とする。
【課題を解決するための手段】
【００１１】
上記目的を達成するため、本発明の第１の観点に係る液体フィルタ装置は、
液体の流入路と、前記液体の流出路と、下方に開口した下方開口部と、を備えるフィルタケース蓋部と、
略円筒状の濾材部と、前記濾材部の上側に備えた中空円盤状の上部プレートと、前記濾材部の下側に備えた円盤状の下部プレートと、を備えるフィルタエレメントと、
内部に前記フィルタエレメントを保持したときに、前記下部プレートを支持する下部支持部と、上方に開口した上方開口部と、を備えるフィルタケース本体と、からなる液体フィルタ装置であって、
前記フィルタケース蓋部の内側には、位置決めのための係止突起と、前記下方開口部側に突出して設置されるリーダライタモジュールが備えられ、前記リーダライタモジュールの下方端部にアンテナが備えられ、
前記フィルタエレメントの前記上部プレートには、前記フィルタケース蓋部の前記係止突起を単一の特定位置に回転しながらガイドするガイド部と、ＩＣタグが備えられ、
前記フィルタケース本体の上方開口部を前記フィルタケース蓋部の下方開口部に向け押しつけたときに、前記フィルタケース本体内部に保持した前記フィルタエレメントが前記フィルタケース本体の前記下部支持部に押されて前記フィルタケース蓋部に押しつけられることにより、前記フィルタエレメントの前記ガイド部が前記フィルタケース蓋部の前記係止突起に対して回転し、前記係止突起が前記特定位置に来たところで固定され、
前記係止突起が前記特定位置に固定されているときに、前記アンテナと前記ＩＣタグが近接している、
ことを特徴とする。
【００１２】
また、本発明の第２の観点に係る液体フィルタ装置は、
液体の流入路と、前記液体の流出路と、を備えるフィルタケース蓋部と、
略円筒状の濾材部と、前記濾材部の上側に備えた中空円盤状の上部プレートと、前記濾材部の下側に備えた円盤状の下部プレートと、を備えるフィルタエレメントと、
内部に前記フィルタエレメントを保持したときに、前記下部プレートの中央を支持するバネ部と、上方に開口した上方開口部と、前記フィルタエレメントを内部保持して外部に出ないように前記上部プレートを抑止する抑止部と、を備え、前記フィルタエレメントを内部に保持したフィルタカートリッジを形成するフィルタケース本体と、からなる液体フィルタ装置であって、
前記フィルタケース蓋部の下方には、位置決めのための係止突起と、下方に突出して設置されるリーダライタモジュールが備えられ、前記リーダライタモジュールの下方の端部にアンテナが備えられ、
前記フィルタエレメントの前記上部プレートには、前記フィルタケース蓋部の前記係止突起を単一の特定位置に回転しながらガイドするガイド部と、ＩＣタグが備えられ、
前記フィルタケース本体の前記上方開口部を前記フィルタケース蓋部に向け押しつけたときに、前記フィルタケース本体内部に保持した前記フィルタエレメントが前記フィルタケース本体の前記バネ部に押されて前記フィルタケース蓋部に押しつけられることにより、前記フィルタエレメントの前記ガイド部が前記フィルタケース蓋部の前記係止突起に対して回転し、前記係止突起が前記特定位置に来たところで固定され、
前記係止突起が前記特定位置に固定されているときに、前記アンテナと前記ＩＣタグが近接している、
ことを特徴とする。
【００１３】
第１又は第２の観点に係る液体フィルタ装置は、前記フィルタケース蓋部の前記流入路又は前記流出路のいずれか一方は、前記フィルタエレメントを内部に保持した前記フィルタケース本体と前記フィルタケース蓋部を結合した時に、前記フィルタエレメントの前記上部プレートの中空円盤状の中空部に挿入する第１管部を備え、
前記係止突起は、前記第１管部の外側に突出するように設けられており、
前記フィルタエレメントの前記上部プレートは、前記中空円盤状の内周に接続された第２管部を備え、
前記ガイド部は、前記第２管部の内側に設けられた、前記特定位置に向かって傾斜する傾斜面からなり、
前記係止突起が前記特定位置に向かって前記傾斜面を滑りながら移動し、前記係止突起が前記特定位置に来たところで固定されるようにしてもよい。
【００１４】
また、前記係止突起の下端部が下方に尖った形状を有し、前記傾斜面の前記特定位置と逆側が上方に尖った形状を有するようにしてもよい。
【００１５】
また、本発明の第３の観点に係る液体フィルタ装置は、
液体の流入路と、前記液体の流出路と、下方に開口した下方開口部と、を備えるフィルタケース蓋部と、
略円筒状の濾材部と、前記濾材部の上側に備えた中空円盤状の上部プレートと、前記濾材部の下側に備えた円盤状の下部プレートと、を備えるフィルタエレメントと、
内部に前記フィルタエレメントを保持したときに、前記下部プレートを支持する下部支持部と、上方に開口した上方開口部と、を備えるフィルタケース本体と、からなる液体フィルタ装置であって、
前記フィルタエレメントの前記上部プレートには、前記中空円盤状の内周に設けられた位置決めのための係止突起と、ＩＣタグが備えられ、
前記フィルタケース蓋部の内側には、前記フィルタエレメントの前記係止突起を単一の特定位置に回転しながらガイドするガイド部と、前記下方開口部側に突出して設置されるリーダライタモジュールが備えられ、前記リーダライタモジュールの下方端部にアンテナが備えられ、
前記フィルタケース本体の前記上方開口部を前記フィルタケース蓋部の前記下方開口部に向け押しつけたときに、前記フィルタケース本体内部に保持した前記フィルタエレメントが前記フィルタケース本体の前記下部支持部に押されて前記フィルタケース蓋部に押しつけられることにより、前記フィルタエレメントの前記係止突起が前記フィルタケース蓋部の前記ガイド部に対して回転し、前記係止突起が前記特定位置に来たところで固定され、
前記係止突起が前記特定位置に固定されているときに、前記アンテナと前記ＩＣタグが近接している、
ことを特徴とする。
【００１６】
また、本発明の第４の観点に係る液体フィルタ装置は、
液体の流入路と、前記液体の流出路と、を備えるフィルタケース蓋部と、
略円筒状の濾材部と、前記濾材部の上側に備えた中空円盤状の上部プレートと、前記濾材部の下側に備えた円盤状の下部プレートと、を備えるフィルタエレメントと、
内部に前記フィルタエレメントを保持したときに、前記下部プレートの中央を支持するバネ部と、上方に開口した上方開口部と、前記フィルタエレメントを内部保持して外部に出ないように前記上部プレートを抑止する抑止部と、を備え、前記フィルタエレメントを内部に保持したフィルタカートリッジを形成するフィルタケース本体と、からなる液体フィルタ装置であって、
前記フィルタエレメントの前記上部プレートには、前記中空円盤状の内周に設けられた位置決めのための係止突起と、ＩＣタグが備えられ、
前記フィルタケース蓋部の下方には、前記フィルタエレメントの前記係止突起を単一の特定位置に回転しながらガイドするガイド部と、前記下方に突出して設置されるリーダライタモジュールが備えられ、前記リーダライタモジュールの下方端部にアンテナが備えられ、
前記フィルタケース本体の前記上方開口部を前記フィルタケース蓋部に向け押しつけたときに、前記フィルタケース本体内部に保持した前記フィルタエレメントが前記フィルタケース本体の前記バネ部に押されて前記フィルタケース蓋部に押しつけられることにより、前記フィルタエレメントの前記係止突起が前記フィルタケース蓋部の前記ガイド部に対して回転し、前記係止突起が前記特定位置に来たところで固定され、
前記係止突起が前記特定位置に固定されているときに、前記アンテナと前記ＩＣタグが近接している、
ことを特徴とする。
【００１７】
また、第３又は第４の観点に係る液体フィルタ装置は、
前記フィルタケース蓋部の前記流入路又は前記流出路のいずれか一方は、前記フィルタエレメントを内部に保持した前記フィルタケース本体と前記フィルタケース蓋部を結合した時に、前記フィルタエレメントの前記上部プレートの中空円盤状の中空部に挿入する第１管部を備え、
前記ガイド部は、前記第１管部の外側に設けられた、前記特定位置に向かって傾斜する傾斜面からなり、
前記フィルタエレメントの前記上部プレートは、前記中空円盤状の内周と連続する第２管部を備え、
前記係止突起は、前記第２管部の内側に突出するように設けられており、
前記係止突起が前記特定位置に向かって滑りながら移動し、前記係止突起が前記特定位置に来たところで固定されるようにしてもよい。
【００１８】
また、前記係止突起の上端が上方に尖った形状を有し、前記傾斜面の前記特定位置と逆側が下方に尖った形状を有するようにしてもよい。
【００１９】
第１又は第３の観点に係る液体フィルタ装置は、
前記フィルタエレメントは、前記下部プレートの底面に下方に突出するように設けられた突起部を更に備え、前記突起部を前記フィルタケース本体の下部支持部に当接させてもよい。
【００２０】
第１乃至第４の観点に係る液体フィルタ装置は、
前記フィルタエレメントの前記上部プレートは樹脂から構成されており、前記ＩＣタグは、樹脂内に埋め込まれるようにしてもよい。
【００２１】
また、本発明の第５の観点に係るフィルタエレメントは、
液体の流入路と、前記液体の流出路と、下方に開口した下方開口部と、を備えるフィルタケース蓋部と、上方に開口した上方開口部を備えるフィルタケース本体と、を有する液体フィルタ装置に備えられるフィルタエレメントであって、
略円筒状の濾材部と、前記濾材部の上側に備えた中空円盤状の上部プレートと、前記濾材部の下側に備えた円盤状の下部プレートと、を備え、
前記フィルタケース蓋部の内側には、位置決めのための係止突起と、前記下方開口部側に突出して設置されるリーダライタモジュールが備えられ、前記リーダライタモジュールの下方端部にアンテナが備えられ、
前記上部プレートには、前記フィルタケース蓋部の前記係止突起を単一の特定位置に回転しながらガイドするガイド部と、ＩＣタグが備えられ、
前記フィルタケース本体の上方開口部を前記フィルタケース蓋部の下方開口部に向け押しつけたときに、前記フィルタケース本体内部に保持した当該フィルタエレメントが前記フィルタケース本体の底部に備えられた下部支持部に押されて前記フィルタケース蓋部に押しつけられることにより、当該フィルタエレメントの前記ガイド部が前記フィルタケース蓋部の前記係止突起に対して回転し、前記係止突起が前記特定位置に来たところで固定され、
前記係止突起が前記特定位置に固定されているときに、前記アンテナと前記ＩＣタグが近接している、
ことを特徴とする。
【００２２】
また、本発明の第６の観点に係るフィルタカートリッジは、
液体の流入路と、前記液体の流出路と、を備えるフィルタケース蓋部に結合されて、液体フィルタ装置を構成するフィルタカートリッジであって、
略円筒状の濾材部と、前記濾材部の上側に備えられた中空円盤状の上部プレートと、前記濾材部の下側に備えられた円盤状の下部プレートと、を有するフィルタエレメントと、
内部に前記フィルタエレメントを保持したときに、前記下部プレートの中央を支持するバネ部と、上方に開口した上方開口部と、前記フィルタエレメントを内部保持して外部に出ないように前記上部プレートを抑止する抑止部と、を有するフィルタケース本体と、を備え、
前記フィルタケース蓋部の下方には、位置決めのための係止突起と、前記下方に突出して設置されるリーダライタモジュールが備えられ、前記リーダライタモジュールの下方の端部にアンテナが備えられ、
前記フィルタエレメントの前記上部プレートには、前記フィルタケース蓋部の前記係止突起を単一の特定位置に回転しながらガイドするガイド部と、ＩＣタグが備えられ、
前記フィルタケース本体の前記上方開口部を前記フィルタケース蓋部に向け押しつけたときに、前記フィルタケース本体内部に保持した前記フィルタエレメントが前記フィルタケース本体の前記バネ部に押されて前記フィルタケース蓋部に押しつけられることにより、前記フィルタエレメントの前記ガイド部が前記フィルタケース蓋部の前記係止突起に対して回転し、前記係止突起が前記特定位置に来たところで固定され、
前記係止突起が前記特定位置に固定されているときに、前記アンテナと前記ＩＣタグが近接している、
ことを特徴とする。
【００２３】
また、本発明の第７の観点に係るフィルタエレメントは、
液体の流入路と、前記液体の流出路と、下方に開口した下方開口部と、を備えるフィルタケース蓋部と、上方に開口した上方開口部を備えるフィルタケース本体と、を有する液体フィルタ装置に備えられるフィルタエレメントであって、
略円筒状の濾材部と、前記濾材部の上側に備えた中空円盤状の上部プレートと、前記濾材部の下側に備えた円盤状の下部プレートと、を備え、
前記上部プレートには、前記中空円盤状の内周に設けられた位置決めのための係止突起と、ＩＣタグが備えられ、
前記フィルタケース蓋部の内側には、当該フィルタエレメントの前記係止突起を単一の特定位置に回転しながらガイドするガイド部と、前記下方開口部側に突出して設置されるリーダライタモジュールが備えられ、前記リーダライタモジュールの下方端部にアンテナが備えられ、
前記フィルタケース本体の前記上方開口部を前記フィルタケース蓋部の前記下方開口部押しつけたときに、前記フィルタケース本体内部に保持した当該フィルタエレメントが前記フィルタケース本体の底部に備えられた前記下部支持部に押されて前記フィルタケース蓋部に押しつけられることにより、当該フィルタエレメントの前記係止突起が前記フィルタケース蓋部の前記ガイド部に対して回転し、前記係止突起が前記特定位置に来たところで固定され、
前記係止突起が前記特定位置に固定されているときに、前記アンテナと前記ＩＣタグが近接している、
ことを特徴とする。
【００２４】
また、本発明の第８の観点に係るフィルタカートリッジは、
液体の流入路と、前記液体の流出路と、を備えるフィルタケース蓋部に結合されて、液体フィルタ装置を構成するフィルタカートリッジであって、
略円筒状の濾材部と、前記濾材部の上側に備えられた中空円盤状の上部プレートと、前記濾材部の下側に備えられた円盤状の下部プレートと、を備えるフィルタエレメントと、
内部に前記フィルタエレメントを保持したときに、前記下部プレートの中央を支持するバネ部と、上方に開口した上方開口部と、前記フィルタエレメントを内部保持して外部に出ないように前記上部プレートを抑止する抑止部と、を有するフィルタケース本体と、を備え、
前記フィルタエレメントの前記上部プレートには、前記中空円盤状の内周に設けられた位置決めのための係止突起と、ＩＣタグが備えられ、
前記フィルタケース蓋部の下方には、前記フィルタエレメントの前記係止突起を単一の特定位置に回転しながらガイドするガイド部と、前記下方に突出して設置されるリーダライタモジュールが備えられ、前記リーダライタモジュールの下方端部にアンテナが備えられ、
前記フィルタケース本体の前記上方開口部を前記フィルタケース蓋部に向け押しつけたときに、前記フィルタケース本体内部に保持した前記フィルタエレメントが前記フィルタケース本体の前記バネ部に押されて前記フィルタケース蓋部に押しつけられることにより、前記フィルタエレメントの前記係止突起が前記フィルタケース蓋部の前記ガイド部に対して回転し、前記係止突起が前記特定位置に来たところで固定され、
前記係止突起が前記特定位置に固定されているときに、前記アンテナと前記ＩＣタグが近接している、
ことを特徴とする。
【発明の効果】
【００２５】
本発明によれば、フィルタエレメントに設置したＩＣタグとフィルタケースに設置したリーダライタとの間の通信において正確な情報伝達が可能となる。
【図面の簡単な説明】
【００２６】
【図１】実施の形態１に係る液体フィルタ装置の外観図である。
【図２】（ａ）液体フィルタ装置の上面図である。（ｂ）液体フィルタ装置の断面図である。
【図３】（ａ）フィルタケース蓋部の断面図である。（ｂ）フィルタエレメントの断面図である。（ｃ）フィルタケース本体の断面図である。
【図４】フィルタケース蓋部とフィルタエレメントの斜視図である。
【図５】係止突起の形状を説明する図である。（ａ）は断面図であり、（ｂ）は下面図であり、（ｃ）は側面図である。
【図６】上部プレートの形状を説明する図である。（ａ）は上面図であり、（ｂ）（ｃ）（ｄ）は側面図であり、（ｅ）は下面図であり、（ｆ）は斜視図である。
【図７】（ａ）第２管部の展開図である。（ｂ）係止突起が特定位置に固定される様子を示した図である。
【図８】実施の形態２に係る液体フィルタ装置のフィルタケース蓋部とフィルタエレメントの斜視図である。
【図９】（ａ）第１管部の展開図である。（ｂ）係止突起が特定位置に固定される様子を示した図である。
【図１０】実施の形態３に係る液体フィルタ装置の外観図である。
【図１１】（ａ）液体フィルタ装置の上面図である。（ｂ）液体フィルタ装置の断面図である。
【図１２】（ａ）フィルタケース蓋部の断面図である。（ｂ）フィルタカートリッジの断面図である。
【図１３】フィルタケース蓋部とフィルタカートリッジの斜視図である。
【図１４】フィルタケース蓋部とフィルタカートリッジの斜視図である。
【発明を実施するための形態】
【００２７】
（実施の形態１）
本発明の実施の形態１について図面を参照して詳細に説明する。
【００２８】
本実施の形態に係る液体フィルタ装置１は、図１に示すように、下方に向かう下方開口部を有するフィルタケース蓋部１１０と、上方に向かう上方開口部を有し、フィルタケース蓋部１１０に対してネジ止めで封止するフィルタケース本体１２０と、からなるフィルタケース１００を備える。
【００２９】
図２に示すように、フィルタケース１００の内部には、液体を通過させることで液体中の異物を捕集するフィルタエレメント１３０を保持している。ここで、図２（ａ）は、液体フィルタ装置１の上面図であり、図２（ｂ）は図１及び図２（ａ）の矢視ａ−ａ’より見た断面図である。図２（ｂ）において、液体フィルタ装置１の内部構成の理解を助けるために、斜線で示した断面以外の部分も透視態様で示している。
【００３０】
液体フィルタ装置１の稼働時には、フィルタケース蓋部１１０の流入路１１１から流入された液体は、フィルタエレメント１３０の外側に流れ込む。フィルタエレメント１３０の外側に溜まった液体は、フィルタエレメント１３０の濾材部１３２を通過することにより、異物が取り除かれて濾材部１３２の内部に流入し、フィルタケース蓋部１１０の流出路１１２から流出する。
【００３１】
図３は、フィルタケース蓋部１１０、フィルタケース本体１２０、フィルタエレメント１３０の各構成部を示したものであり、図２（ｂ）と同様に斜線で示した断面以外の部分も透視態様で示している。図２、３を用いて、各構成部について説明する。
【００３２】
フィルタケース蓋部１１０は、例えばアルミ等の金属から構成され、液体をフィルタケース１００内に導くための流入路１１１とフィルタエレメント１３０を通過した液体を外部に導くための流出路１１２と、フィルタケース蓋部１１０の内部に突出するように設置するリーダライタモジュール１１３を有する。リーダライタモジュール１１３の下端近傍にリーダライタ用のアンテナ１１４を備えている。アンテナ１１４はリーダライタモジュール１１３の内部に実装されてもよいし、表面に実装して樹脂で覆うようにしてもよい。
【００３３】
リーダライタモジュール１１３は、フィルタケース蓋部１１０を貫通する部材から構成され、取り外し可能としてもよい。その場合、ネジ１１５でフィルタケース蓋部１１０の外壁面に対して固定される。リーダライタモジュール１１３から信号線１１６が出ており、液体フィルタ装置１が設置される車両等の制御部に接続されている。この信号線１１６を介してリーダライタモジュール１１３と制御部との間でデータ信号の送受信を行う。
【００３４】
また、フィルタケース蓋部１１０には、開口部近傍の内側面に雌ネジ１１７の溝が設けられている。
【００３５】
フィルタケース本体１２０は、例えば合成樹脂から構成される。底面内部にはフィルタエレメント１３０の底面を支持するための下部支持部１２１が設けられている。下部支持部１２１は放射状に３以上設けられている。また、フィルタケース本体１２０の外側面には、一定間隔で縦方向に凸状体１２２が設けられている。これは、フィルタケース本体１２０をフィルタケース蓋部１１０に対してネジ止めするために回転させるときに把持する手の滑り止めとして機能する。
【００３６】
またフィルタケース本体１２０の開口部近傍の外側面に雄ネジ１２３の溝が設けられている。フィルタケース本体１２０の雄ネジ１２３とフィルタケース蓋部１１０の雌ネジ１１７を嵌合させて、フィルタケース本体１２０をフィルタケース蓋部１１０に対して回転させてネジを締め付けることにより、フィルタケース１００を封止させることができる。
【００３７】
フィルタエレメント１３０は、円筒格子状の濾材支持部１３１と、濾材支持部１３１の外周に備えられた略円筒状の濾材部１３２と、濾材部１３２の上側に設けられた中空円盤状の上部プレート１３３と、濾材部１３２の下側に設けられた円盤状の下部プレート１３４と、から構成される。濾材部１３２の詳細の形状は、例えば、濾材を蛇腹状に折り畳み円筒状に巻き付けられた断面菊花状である。
【００３８】
上部プレート１３３は樹脂で構成されており、ＩＣ（Integrated Circuit）タグ１３６が埋め込まれている。例えば、ＩＣタグ１３６を支持した金型を用いて樹脂成形する。ＩＣタグ１３６は書き換え可能な不揮発性メモリと送受信回路と送受信アンテナを集積化した電子部品であり、リーダライタモジュール１１３との間でデータの送受信を行う。ＩＣタグ１３６は電源を有しておらず、リーダライタモジュール１１３から受信する電波から微量な電力を生成し、その電力を用いて情報処理やデータ送受信を行う。
【００３９】
リーダライタモジュール１１３とＩＣタグ１３６との間で送受信するデータは任意のデータでよい。例えば、ＩＣタグ１３６のメモリにフィルタエレメント１３０が純正品であることを示すコードや、ロットナンバーなどを記憶させておき、リーダライタモジュール１１３から、それらの情報を返信するような命令が送信された際に、ＩＣタグ１３６から当該要求された情報を返信する。そして、リーダライタモジュール１１３から信号を取得する制御部は、備え付けられたフィルタエレメント１３０が純正品か否かを判別し、純正品でない場合には、警告を発し、又は、車両のエンジン等の出力抑制が為され、稼働できないように制御する。なお、フィルタエレメント１３０に備えられたＩＣタグ１３６に記憶された情報は、ＩＣタグのリーダライタ機能を有する携帯電話等の任意の端末で読み取ることができる。
【００４０】
ここで、液体フィルタ装置１を組み立ててフィルタ機能を稼働させているときには、フィルタケース１００内部には油や水等の液体が充填されている。アンテナ１１４とＩＣタグ１３６の間に液体が挿入されている場合には、電波の伝搬が悪くなるため、距離が十分に短くなければ正常に通信を行うことができない。よって、フィルタケース蓋部１１０に備えられたアンテナ１１４とフィルタエレメント１３０に備えられたＩＣタグ１３６の間の距離はできるだけ短くする必要がある。例えば、両者間の距離は５ｍｍ以下であることが望ましい。
【００４１】
アンテナ１１４は、フィルタケース蓋部１１０の内側、すなわちフィルタエレメント１３０側に突出するリーダライタモジュール１１３の先端に備えられている。このため、フィルタエレメント１３０の中心軸に平行な方向において、アンテナ１１４をＩＣタグ１３６に近接させることができる。一方、フィルタエレメント１３０の中心軸を軸とする回転方向については、組立時の動作を考慮する必要がある。
【００４２】
液体フィルタ装置１を組み立てる際には、まず、フィルタケース本体１２０の中にフィルタエレメント１３０を挿入し、その後フィルタケース本体１２０の雄ネジ１２３とフィルタケース蓋部１１０の雌ネジ１１７を嵌合させて、フィルタケース本体１２０をフィルタケース蓋部１１０に対して回転させてネジを締め付ける。
【００４３】
ここで、フィルタエレメント１３０がフィルタケースに対して回転方向の動きに制限がない場合、フィルタエレメント１３０の回転移動に伴ってＩＣタグ１３６の位置も回転移動する。よって、フィルタケース蓋部１１０のアンテナ１１４とフィルタエレメント１３０のＩＣタグ１３６を近接させるためには、フィルタエレメント１３０の回転方向の位置を、フィルタケース蓋部１１０に対して固定する必要がある。
【００４４】
フィルタケース蓋部１１０とフィルタエレメント１３０の回転方向の位置合わせについて、図４〜７を用いて詳細に説明する。
【００４５】
フィルタケース蓋部１１０は、図４、５に示すように、流出路１１２と連続する中空円筒状の第１管部１１８を更に備えている。第１管部１１８の側面には、第１管部１１８の中心軸方向に平行な係止突起１１８１を形成している。係止突起１１８１は図５に示すように第１管部１１８の中心軸方向に平行な方向を長手方向にする直方体の下端１１８２が尖った形状を有している。
【００４６】
フィルタエレメント１３０の上部プレート１３３は、図６に示すように、上部プレート１３３の中空円盤形状の内周に接続されている第２管部１３７を更に備えている。ここで、フィルタケース蓋部１１０の第１管部１１８が、フィルタエレメント１３０の第２管部１３７に挿入されるため、第２管部１３７の最も内側の内径ｒＥは、第１管部１１８の外径ｒＣよりわずかに大きい。第２管部１３７の入り口には、液漏れを防止するシール部材１３７３が備え付けられている。
【００４７】
第２管部１３７は、上部プレートの表面１３３１から最も離れた位置にある最下点１３７２と、それに向かって左右から下方に向かって傾斜する傾斜面１３７１を有している。傾斜面１３７１の上端、つまり最下点１３７２と逆側は上向きに尖っている。図７（ａ）（ｂ）は、第１管部１１８の内壁面を展開した図であるが、図７（ａ）に示すように、傾斜面１３７１の最下点１３７２に切り込みを有している。
【００４８】
このように構成された液体フィルタ装置１の組立時の動作について説明する。
【００４９】
まず、フィルタケース本体１２０の中にフィルタエレメント１３０を挿入した後、フィルタケース本体１２０の開口部をフィルタケース蓋部１１０の開口部に対して押しつける。これにより、フィルタケース本体１２０の下部支持部１２１に下部プレート１３４を押されたフィルタエレメント１３０はフィルタケース蓋部１１０へ押しつけられる。
【００５０】
フィルタエレメント１３０がフィルタケース蓋部１１０へ押しつけられると、フィルタケース蓋部１１０の係止突起１１８１に対してフィルタエレメント１３０の第２管部１３７の傾斜面１３７１が押しつけられる。この押しつけられる力により、傾斜面１３７１が係止突起１１８１に対して滑って回転するため、フィルタエレメント１３０がフィルタケース蓋部１１０に対して回転する。ここでの回転角度は最大で１８０度である。
【００５１】
この動作をフィルタエレメント１３０を基準に考えると、図７（ｂ）に示すように、フィルタケース蓋部１１０の係止突起１１８１がフィルタエレメント１３０の傾斜面１３７１に沿って移動する。そして、係止突起１１８１が最下点１３７２に来たところで、フィルタケース蓋部１１０とフィルタエレメント１３０の位置関係が固定される。つまり、第２管部１３７の最下点１３７２が予め決定しておいた特定位置である。
【００５２】
フィルタケース蓋部１１０とフィルタエレメント１３０の位置関係が固定されたとき、フィルタケース蓋部１１０のアンテナ１１４とフィルタエレメント１３０のＩＣタグ１３６が最接近する。言い換えると、アンテナ１１４とＩＣタグ１３６の位置関係を考慮した上で、係止突起１１８１と最下点１３７２の位置を予め決定しておく。
【００５３】
このようにして、フィルタエレメント１３０とフィルタケース蓋部１１０との位置関係が固定した後、フィルタケース本体１２０の雄ネジ１２３とフィルタケース蓋部１１０の雌ネジ１１７を嵌合させ、フィルタケース本体１２０をフィルタケース蓋部１１０に対して回転させてネジを締めて封止する。
【００５４】
ここで、フィルタケース本体１２０がネジ締めのために回転するのに対し、フィルタエレメント１３０は回転を停止しているため、フィルタエレメント１３０の下部プレート１３４とフィルタケース本体１２０の下部支持部１２１の間に摩擦が生じることとなる。この摩擦を減少させるために、図３（ｂ）に示すように、下部プレートの表面に突起１３４１を円周にそって設けて、下部支持部１２１には突起１３４１のみが接触するようにしても良い。これにより、フィルタエレメント１３０が固定されても、フィルタケース本体１２０をスムーズに回転させることができる。
【００５５】
以上説明したように、本実施の形態においては、フィルタケース蓋部１１０は、内側に突出するリーダライタモジュール１１３の下端近傍にアンテナ１１４を備え、中央に位置する第１管部１１８に係止突起１１８１を備え、フィルタエレメント１３０は、上部プレート１３３にＩＣタグ１３６を備え、上部プレート１３３の中央に位置する第２管部１３７に最下点１３７２に向かって傾斜する傾斜面１３７１を備えるようにした。そして、フィルタケース本体１２０をフィルタケース蓋部１１０に対して押しつけた際、フィルタエレメント１３０は、フィルタケース本体１２０の下部支持部１２１により押され、フィルタケース蓋部１１０に対して押しつけられることにより、フィルタエレメント１３０がフィルタケース蓋部１１０に対して回転し、フィルタケース蓋部１１０の係止突起１１８１がフィルタエレメント１３０の第２管部１３７の最下点１３７２で固定するようにした。
【００５６】
これにより、フィルタエレメント１３０がフィルタケース蓋部１１０に対して予め定めた位置で固定されることとなり、フィルタエレメント１３０のＩＣタグ１３６とフィルタケース蓋部１１０のアンテナ１１４を接近させることができ、ＩＣタグ１３６とリーダライタモジュール１１３との間の通信を正常に行うことができる。
【００５７】
（実施の形態２）
本発明の実施の形態２について図面を参照して詳細に説明する。
【００５８】
本実施の形態に係る液体フィルタ装置２は、実施の形態１と同様に、下方に向かう下方開口部を有するフィルタケース蓋部２１０と、上方に向かう上方開口部を有し、フィルタケース蓋部２１０に対してネジ止めで封止するフィルタケース本体１２０と、フィルタケース蓋部２１０とフィルタケース本体１２０の内部に保持されるフィルタエレメント２３０を備える。フィルタケース本体１２０の構成は実施の形態１と同じである。
【００５９】
フィルタケース蓋部２１０は、実施の形態１と同様の流入路１１１、流出路１１２と、リーダライタモジュール１１３と、アンテナ１１４と、ネジ１１５と、信号線１１６と、雌ネジ１１７と、第１管部１１８と、を備えている。ただし、図８に示すように、本実施の形態では、第１管部１１８には係止突起１１８１でなく、傾斜面２１９１が設けられている。図９（ａ）（ｂ）は、第１管部２１８の外壁面を展開した図である。図９（ａ）に示すように、傾斜面２１９１の最もフィルタケース蓋部２１０の開口部から離れた最上点２１９２に切り込みを有しており、傾斜面２１９１は最上点２１９２に向かって左右から上方に向かって傾斜している。そして傾斜面２１９１の下端、つまり最上点２１９２と逆側は下向きに尖っている。
【００６０】
フィルタエレメント２３０は、実施の形態１と同様の濾材支持部１３１と、濾材部１３２と、上部プレート２３３と、下部プレート１３４と、を備えている。ただし、本実施の形態では、上部プレート２３３の第２管部２３７は、傾斜面ではなく、内壁に係止突起２３７１を有した構成となっている。係止突起２３７１はフィルタケース蓋部２１０に向かう方向に尖っている略三角柱の形状を有している。
【００６１】
液体フィルタ装置２の組立時には、フィルタケース本体１２０の中にフィルタエレメント２３０を挿入した後、フィルタケース本体１２０の開口部をフィルタケース蓋部２１０の開口部に対して押しつける。これにより、フィルタケース本体１２０の下部支持部１２１に下部プレート１３４を押されたフィルタエレメント２３０はフィルタケース蓋部２１０へ押しつけられる。
【００６２】
フィルタエレメント２３０がフィルタケース蓋部２１０へ押しつけられると、フィルタケース蓋部２１０の傾斜面２１９１に対してフィルタエレメント２３０の第２管部２３７の係止突起２３７１が押しつけられる。この押しつけられる力により、係止突起２３７１が傾斜面２１９１に対して滑って回転するため、フィルタエレメント２３０がフィルタケース蓋部２１０に対して回転する。ここでの回転角度は最大で１８０度である。
【００６３】
つまり、図９（ｂ）に示すように、フィルタエレメント２３０の第２管部２３７の係止突起２３７１がフィルタケース蓋部２１０の第１管部１１８の傾斜面２１９１に沿って移動し、係止突起２３７１が最上点２１９２に来たところで、フィルタケース蓋部２１０とフィルタエレメント２３０の位置関係が固定される。つまり、第１管部１１８の最上点２１９２が予め決定しておいた特定位置である。
【００６４】
フィルタケース蓋部２１０とフィルタエレメント２３０の位置関係が固定されたとき、フィルタケース蓋部２１０のアンテナ１１４とフィルタエレメント２３０のＩＣタグ１３６が最接近する。言い換えると、アンテナ１１４とＩＣタグ１３６の位置関係を考慮した上で、係止突起２３７１と最上点２１９２の位置を予め決定しておく。
【００６５】
ここで、実施の形態１と同様に、フィルタエレメント２３０の下部プレート１３４とフィルタケース本体１２０の下部支持部１２１の間に摩擦を減少させるために、下部プレート１３４の表面に突起１３４１を円周にそって設けても良い。
【００６６】
このようにして、フィルタエレメント２３０とフィルタケース蓋部２１０との位置関係が固定した後、フィルタケース本体１２０の雄ネジ１２３とフィルタケース蓋部２１０の雌ネジ１１７を嵌合させ、フィルタケース本体１２０をフィルタケース蓋部２１０に対して回転させてネジを締めて封止する。
【００６７】
以上説明したように、本実施の形態においては、フィルタケース蓋部２１０の中央に位置する第１管部１１８の外壁面に最上点２１９２に向かう傾斜面２１９１を設け、フィルタエレメント２３０の上部プレート２３３の中央に位置する第２管部２３７の内壁面に係止突起２３７１を設け、フィルタケース本体１２０をフィルタケース蓋部２１０に対して押しつけることにより、フィルタエレメント２３０がフィルタケース蓋部２１０に押しつけられて回転し、フィルタエレメント２３０の係止突起２３７１がフィルタケース蓋部２１０の第１管部１１８の最上点２１９２で固定するようにした。
【００６８】
これにより、フィルタエレメント２３０がフィルタケース蓋部２１０に対して予め定めた位置で固定されることとなり、フィルタエレメント２３０のＩＣタグ１３６とフィルタケース蓋部２１０のアンテナ１１４を接近させることができ、ＩＣタグ１３６とリーダライタモジュール１１３間の通信を正常に行うことができる。
【００６９】
（実施の形態３）
本発明の実施の形態３について図面を参照して詳細に説明する。
【００７０】
本実施の形態に係る液体フィルタ装置３は、図１０に示すように、フィルタケース蓋部３１０と、フィルタケース蓋部３１０に対してネジ止めで封止するフィルタケース本体３２０を備える。
【００７１】
図１１に示すように、フィルタケース本体３２０の内部には、液体を通過させることで液体中の異物を捕集するフィルタエレメント３３０を保持している。図１２に示すように、フィルタケース本体３２０とフィルタエレメント３３０は一体化されていて、フィルタカートリッジ３００を構成している。ここで、図１１（ａ）は、液体フィルタ装置１の上面図であり、図１１（ｂ）は図１０及び図１１（ａ）の矢視ｂ−ｂ’より見た断面図である。図１１（ｂ）において、液体フィルタ装置１の内部構成の理解を助けるために、斜線で示した断面以外の部分も透視態様で示している。
【００７２】
図１２は、フィルタケース蓋部３１０、フィルタカートリッジ３００の各構成部を示したものであり、図１１（ｂ）と同様に斜線で示した断面以外の部分についても透視態様で示している。図１１、１２を用いて、各構成部について説明する。
【００７３】
フィルタケース蓋部３１０は、例えばアルミ等の金属から構成され、液体をフィルタ装置３内に導くための流入路３１１とフィルタエレメント３３０を通過した液体を外部に導くための流出路３１２と、フィルタケース蓋部３１０の下方に突出するように設置するリーダライタモジュール３１３を有する。リーダライタモジュール３１３の下端近傍にリーダライタ用のアンテナ３１４を備えている。アンテナ３１４はリーダライタモジュール３１３の内部に含まれていても良いし、表面に設置して樹脂で覆うようにしてもよい。
【００７４】
リーダライタモジュール３１３は、フィルタケース蓋部３１０を貫通する部材から構成され、取り外し可能としてもよい。その場合、ネジ３１５でフィルタケース蓋部３１０の表面３１０１に対して固定される。リーダライタモジュール３１３から信号線３１６が出ており、液体フィルタ装置３が設置される車両等の制御部に接続されている。信号線３１６を介してリーダライタモジュール３１３と制御部との間でデータ信号の送受信を行う。
【００７５】
またフィルタケース蓋部３１０には、図１２（ａ）の下方向に裏面３１０２から延びた部分の側面に雄ネジ３１７の溝が設けられている。
【００７６】
フィルタカートリッジ３００の内部に備えられているフィルタエレメント３３０は、円筒格子状の濾材支持部３３１と、濾材支持部３３１の外周に備えられた略円筒状の濾材部３３２と、濾材部３３２の上側に設けられた中空円盤状の上部プレート３３３と、濾材部３３２の下側に設けられた円盤状の下部プレート３３４と、から構成される。濾材部３３２の詳細の形状は、例えば、濾材を蛇腹状に折り畳み円筒状に巻き付けられた断面菊花状である。
【００７７】
フィルタカートリッジ３００のフィルタケース本体３２０は、例えば鉄等の金属から構成され、上方に開口した上方開口部を有し、上方開口部の円周に沿って雌ネジ３２３の溝が設けられている。フィルタケース本体３２０の底面中央にはバネ３２１が設けられており、フィルタエレメント３３０の下部プレート３３４の中央を支持している。また、フィルタケース本体３２０には、フィルタエレメント３３０が外に出ないようにするために上部プレート３３３を上方から抑止する上部プレート抑止部３２４がある。上部プレート抑止部３２４は、フィルタケース本体３２０の雌ネジ３２３の下方に設けられている。
【００７８】
フィルタカートリッジ３００がフィルタケース蓋部３１０に結合していないときは、底面のバネ３２１の反発力により、フィルタエレメント３３０の上部プレート３３３は、上部プレート抑止部３２４に接触している。このため、フィルタカートリッジ３００内に液体が残っている場合でも、その液体は外部に漏れにくくなっている。
【００７９】
一方、フィルタカートリッジ３００がフィルタケース蓋部３１０に結合しているときは、フィルタケース蓋部３１０により上部プレート３３３が下に押され、上部プレート抑止部３２４との間に隙間が生じる。フィルタケース蓋部３１０の流入路から流れてきた液体がその隙間からフィルタエレメント３３０の外側に流れ込む。フィルタエレメント３３０の外側に流れ込んだ液体は、フィルタエレメント３３０の濾材部３３２を通過することにより、異物が取り除かれて濾材部３３２の内部に流入し、フィルタケース蓋部３１０の流出路３１２から流出する。
【００８０】
液体フィルタ装置３の組立時には、フィルタケース本体３２０の雌ネジ３２３とフィルタケース蓋部３１０の雄ネジ３１７を嵌合させて、フィルタケース本体３２０をフィルタケース蓋部３１０に対して回転させてネジを締め付けることにより、フィルタカートリッジ３００の上方開口部を封止させる。
【００８１】
上部プレート３３３は樹脂で構成されており、ＩＣタグ３３６が埋め込まれている。ＩＣタグ３３６の支持方法、構成、機能は実施の形態１と同様である。
【００８２】
リーダライタモジュール３１３とＩＣタグ３３６との間で送受信するデータは任意のデータでよい。例えば、ＩＣタグ３３６のメモリにフィルタカートリッジ３００が純正品であることを示すコードや、ロットナンバーなどを記憶させておき、リーダライタモジュール３１３からそれらの情報を返信するような命令が送信された際に、ＩＣタグ３３６から当該要求された情報を返信する。これにより、リーダライタモジュール３１３から信号を取得する制御部は、備え付けられたフィルタカートリッジ３００が純正品か否かを判別し、純正品でない場合には、警告を発し、又は、車両等のエンジンの出力抑制が為され、稼働できないように制御する。
【００８３】
ここで、液体フィルタ装置３を組み立ててフィルタ機能を稼働させているときには、フィルタカートリッジ３００内部には油や水等の液体が充填されているが、フィルタケース蓋部３１０とフィルタエレメント３３０との位置合わせを行い、リーダライタモジュール３１３とＩＣタグ３３６を近接させているため正常に通信を行うことができる。フィルタケース蓋部３１０とフィルタエレメント３３０との位置合わせの方法は、実施の形態１、２と同様である。
【００８４】
実施の形態１と同様の方法を用いる場合には、図１２、１３に示すように、フィルタケース蓋部３１０の流出路３１２に連続した第１管部３１８に設けた係止突起３１８１が、フィルタエレメント３３０の上部プレート３３３の中央に設けた第２管部３３７の傾斜面３３７１を滑り、最下部３３７２で固定される。
【００８５】
一方、実施の形態２と同様の方法を用いる場合には、図１４に示すように、フィルタエレメント４３０の上部プレート４３３の中央に設けた第２管部４３７に設けた係止突起４３７１が、フィルタケース蓋部４１０の流出路３１２に連続した第１管部３１８に設けた傾斜面４１９１を滑り、最上部４１９２で固定される。
【００８６】
いずれの方法においても、液体フィルタ装置３を組み立てる際に、第１管部３１８を第２管部３３７、４３７に合わせるようにして、フィルタカートリッジ３００，４００をフィルタケース蓋部３１０、４１０に対して押しつける。これにより、フィルタケース本体３２０，４２０のバネ３２１に下部プレート３３４を押されたフィルタエレメント３３０，４３０はフィルタケース蓋部３１０、４１０へ押しつけられる。
【００８７】
フィルタエレメント３３０，４３０がフィルタケース蓋部３１０，４１０へ押しつけられると、フィルタエレメント３３０，４３０がフィルタケース蓋部３１０，４１０に対して回転し、係止突起３１８１，４３７１が、最下部３３７２又は最上部４１９２に確実に固定されることとなる。ここでの回転角度は最大で１８０度である。
【００８８】
このようにして、フィルタエレメント３３０，４３０とフィルタケース蓋部３１０，４１０との位置関係が固定した後、フィルタケース本体３２０，４２０の雌ネジ３２３とフィルタケース蓋部３１０，４１０の雄ネジ３１７を嵌合させ、フィルタカートリッジ３００，４００をフィルタケース蓋部３１０，４１０に対して回転させてネジを締めて封止する。
【００８９】
以上説明したように、本実施の形態においては、フィルタケース蓋部３１０、４１０は、下方に突出するリーダライタモジュール３１３の下方端部にアンテナ３１４を備え、フィルタエレメント３３０，４３０は、上部プレート３３３，４３３にＩＣタグ３３６を備え、フィルタケース蓋部３１０の第１管部３１８に係止突起３１８１を設け、上部プレート３３３の第２管部３３７に傾斜面３３７１を設け、あるいは、フィルタケース蓋部４１０の第１管部３１８に傾斜面４１９１を設け、上部プレート４３３の第２管部４３７に係止突起４３７１を設けた。また、フィルタカートリッジ３００，４００をフィルタケース蓋部３１０，４１０に対して押しつける際に、係止突起３１８１、４３７１が傾斜面３３７１，４１９１上を移動し、最下点３３７２又は最上点４１９２で固定するようにした。
【００９０】
これにより、フィルタエレメント３３０，４３０が、フィルタケース蓋部３１０，４１０に対して予め定めた位置で固定されることとなり、フィルタエレメント３３０，４３０のＩＣタグ３３６とフィルタケース蓋部３１０，４１０のアンテナ３１４を接近させることができ、ＩＣタグ３３６とリーダライタモジュール３１３間の通信を正常に行うことができる。
【００９１】
このように本発明は、フィルタケース蓋部と、フィルタエレメントと、フィルタケース本体と、からなる液体フィルタ装置において、フィルタケース蓋部の内側には、位置決めのための係止突起と、下方開口部側に突出して設置されるリーダライタモジュールが備えられ、リーダライタモジュールの下端近傍にアンテナが備えられ、フィルタエレメントの上部プレートには、フィルタケース蓋部の係止突起を単一の特定位置に回転してガイドするガイド部と、ＩＣタグが備えられ、組立時に、フィルタエレメントがフィルタケース蓋部に押しつけられることによりフィルタエレメントのガイド部がフィルタケース蓋部の係止突起に対して回転し、係止突起が特定位置に来たところで固定される等して、固定時にリーダライタとＩＣタグが近接するようにした。これにより、フィルタエレメントに設置したＩＣタグとフィルタケースに設置されたリーダライタモジュールとの間の通信において正確な情報伝達が可能となる。
【００９２】
なお、本発明は、上記実施の形態に限定されず、本発明の要旨を逸脱しない範囲での種々の変更は勿論可能である。
【００９３】
例えば、上記実施の形態において、フィルタケース蓋部の第１管部と、フィルタエレメントの上部プレートの第２管部のいずれか一方に係止突起を設け、他方に特定位置に向かって左右両側から傾斜する傾斜面を設け、係止突起が傾斜面を滑り、特定位置である最下点又は最上点で係止突起が固定されるとしたが、係止突起が特定位置にガイドされる構成は、これに限られず、係止突起が回転しながら特定位置に固定される構成であれば、任意の構成であってもよい。例えば、傾斜面が特定位置に向かって一方向に傾斜するようにしてもよい。また、係止突起がバネ等により管部の中に引っ込むようになっており、他方の管部には一部凹部があり、係止突起がその凹部に嵌ることにより、固定されるようにしてもよい。
【００９４】
また、フィルタケース蓋部には中央に液体の流出部が備えられ、流出部が第１管部に連続しており、第１管部に係止突起又は傾斜部等を備えることとしたが、フィルタケース蓋部の中央に液体の流入部が備えられていてもよい。この場合、流入部が第１管部に連続しており、その第１管部に係止突起又は傾斜部等を備えることとなる。
【００９５】
また、実施の形態１と実施の形態２において、フィルタケース蓋部の開口部の内周に雌ネジを設け、フィルタケース本体の開口部の外周に雄ネジを設けることとしたが、フィルタケース蓋部の開口部の外周に雄ネジを設け、フィルタケース本体の開口部の内周に雌ネジを設けてもよい。
【００９６】
また、フィルタケース蓋部１１０，２１０とフィルタケース本体１２０は、フィルタケース蓋部１１０，２１０の雌ネジ１１７とのとフィルタケース本体１２０の雄ネジ１２３を締め付けることにより結合し、フィルタケース蓋部３１０，４１０とフィルタカートリッジ３００，４００は、フィルタケース蓋部３１０，４１０の雄ネジ３１７とフィルタカートリッジ３００，４００の雌ネジ３２３を締め付けることにより結合することとしたが、これら２つの構成部の結合方法はこれに限られない。例えば、雄ネジと雌ネジを逆に備えても良い。または、ネジを設けず、シール材を縁に設けた一方の構成部を他方の構成部に差し込むようにしてもよい。さらに、一方の構成部の外部に設けた釘上の突起物に他方の構成部の外部に設けたフックを引っかけることにより２つの構成部が分離するのを防ぐ構成にしてもよい。
【符号の説明】
【００９７】
１，２，３…液体フィルタ装置
１００…フィルタケース
１１０，２１０，３１０，４１０…フィルタケース蓋部
１１１，３１１…流入路
１１２，３１２…流出路
１１３，３１３…リーダライタモジュール
１１４，３１４…アンテナ
１１５，３１５…ネジ
１１６，３１６…信号線
１１７…雌ネジ
１１８，３１８…第１管部
１１８１，２３７１，３１８１，４３７１…係止突起
１１８２…下端
１２０，３２０，４２０…フィルタケース本体
１２１…下部支持部
１２２…凸状体
１２３…雄ネジ
１３０，２３０，３３０，４３０…フィルタエレメント
１３１，３３１…濾材支持部
１３２，３３２…濾材部
１３３，２３３，３３３，４３３…上部プレート
１３３１…表面
１３４，３３４…下部プレート
１３４１…突起
１３６，３３６…ＩＣタグ
１３７，２３７，３３７，４３７…第２管部
１３７１，２１９１，３３７１，４１９１…傾斜面
１３７２，３３７２…最下点
１３７３…シール部材
２１９２，４１９２…最上点
３１０１…表面
３１０２…裏面
３００，４００…フィルタカートリッジ
３１７…雄ネジ
３２１…バネ
３２３…雌ネジ
３２４…上部プレート抑止部
【図１】
2015013254.tif 000003
【図２】
2015013254.tif 000004
【図３】
2015013254.tif 000005
【図４】
2015013254.tif 000006
【図５】
2015013254.tif 000007
【図６】
2015013254.tif 000008
【図７】
2015013254.tif 000009
【図８】
2015013254.tif 000010
【図９】
2015013254.tif 000011
【図１０】
2015013254.tif 000012
【図１１】
2015013254.tif 000013
【図１２】
2015013254.tif 000014
【図１３】
2015013254.tif 000015
【図１４】
2015013254.tif 000016